(57)【要約】      （修正有）【課題】金網の菱形の全ての辺の間隔を安定して維持することのできる金網用スペーサを提供する。【解決手段】金網用スペーサ２０は、側面線材部２１，２２と、地面に接する中央折返し部２４と、連結線材部２３にまで延びる第１脚部２５と、中央折返し部の他方側から上方に立ち上がって延びる第２脚部２６とを備える。各第１脚部２５は、金網の第１の辺を受入れて、この第１の辺を地面から浮かせた位置で支持するとともに第３の辺から遠ざけるように付勢する第１屈曲部２７を含む。各第２脚部２６は、金網の第２の辺、第３の辺および第４の辺のうちの少なくともいずれかの辺を受入れて、少なくともいずれかの辺を地面から浮かせた状態で支持する第２屈曲部２８を含む。第２屈曲部２８は、第３の辺を第１の辺から遠ざけるように付勢するとともに、第２の辺および第４の辺のいずれか一方の辺を他方の辺から遠ざけるように付勢する形状を有している。【選択図】図１
2010281078.tif 000002
【特許請求の範囲】
【請求項１】
第１の辺、第２の辺、第３の辺および第４の辺で菱形を形成し、第１の辺と第３の辺とが対向し、第２の辺と第４の辺とが対向している金網を地面から浮かせた状態で支持するための金網用スペーサであって、
１本の線材を折り曲げて、対向する第１および第２側面線材部と、両側面線材部の一方端を連結する連結線材部とを備える形状にし、
前記第１および第２側面線材部は、それぞれ、
地面に接する中央折返し部と、この中央折返し部の一方側から上方に立ち上がって前記連結線材部にまで延びる第１脚部と、中央折返し部の他方側から上方に立ち上がって延びる第２脚部とを含み、
前記第１および第２側面線材部の各第１脚部は、前記金網の第１の辺を受入れて、この第１の辺を地面から浮かせた位置で支持するとともに第３の辺から遠ざけるように付勢する第１屈曲部を含み、
前記第１および第２側面線材部の各第２脚部は、前記金網の第２の辺、第３の辺および第４の辺のうちの少なくともいずれかの辺を受入れて、少なくともいずれかの辺を地面から浮かせた状態で支持する第２屈曲部を含み、
前記第１および第２側面線材部の第２屈曲部のうちの少なくともいずれか一方は、前記第３の辺を前記第１の辺から遠ざけるように付勢するとともに、第２の辺および第４の辺のいずれか一方の辺を他方の辺から遠ざけるように付勢する形状を有している、金網用スペーサ。
【請求項２】
前記第１側面線材部と第２側面線材部とは、前記連結線材部との連結点から遠ざかるにつれて次第に両者の間隔が広がる形状とされている、請求項１に記載の金網用スペーサ。
【請求項３】
前記中央折返し部は、ループ形状を有している、請求項１または２に記載の金網用スペーサ。
【請求項４】
前記第１側面線材部および第２側面線材部のうちの少なくともいずれか一方の側面線材部の第２屈曲部は、自由端を他方の側面線材部とは逆の方向に向けた上部Ｕ字状折れ曲がり部と、この上部Ｕ字状折れ曲がり部の下で逆向きのＵ字状となって連なっている下部Ｕ字状折れ曲がり部とを含む、請求項１〜３のいずれかに記載の金網用スペーサ。
【請求項５】
前記第１側面線材部および第２側面線材部のうちの少なくともいずれか一方の側面線材部の第２屈曲部は、前記第２脚部の上端部から前記第１脚部に向かって折れ曲って延びる第１直線部と、前記第１直線部の内端から上方かつ外側方に逆Ｕ字状に立ち上がって延びる逆Ｕ字状折れ曲がり部と、前記逆Ｕ字状折れ曲がり部の下端から自由端まで前記第１直線部の側方で並行して同じ方向に延びる第２直線部とを含む、請求項１〜３のいずれかに記載の金網用スペーサ。
【請求項６】
前記第１屈曲部よりも上方に位置する一対の第１脚部と連結線材部とは、一対の第１脚部の間隔が上方に向かって狭まる形状を形作っている、請求項１〜５のいずれかに記載の金網用スペーサ。
【発明の詳細な説明】
【技術分野】
【０００１】
この発明は、法面等を補強するために打ち込むコンクリートに埋設する金網を所定高さに保持する補強金網用スペーサに関するものである。
【背景技術】
【０００２】
補強金網として、いわゆるラス金網と称されるものがある。ラス金網は、一定の間隔でジグザグ状に折り曲げ加工した第１および第２の金属線材をそれらの折り曲げ箇所で掛け合わせたものである。最終製品をみると、ラス金網は、第１の辺、第２の辺、第３の辺および第４の辺で菱形を形成し、第１の辺と第３の辺とが対向し、第２の辺と第４の辺とが対向している。
【０００３】
ラス金網では、隣接する第１の金属線材と第２の金属線材とを折り曲げ箇所で掛け合わせただけのものなので、菱形の対向する辺同士の間隔が一定していない。また、コンクリート打設下地からの湿気によってラス金網が腐食するのを避けるために、ラス金網を打設下地（地面）から所定の高さに浮かせた状態で保持しておくことが必要である。
【０００４】
特開２００８−７５４０４号公報（特許文献１）は、ラス金網を支持するのに適した補強金網支持スペーサを開示している。図１３は、この公報に開示された支持スペーサを示している。
【０００５】
図１３を参照して、特開２００８−７５４０４号公報に開示された補強金網支持スペーサの形状を説明する。補強金網支持スペーサは、一本の金属線材を折り曲げて所定の形状に成形したものであり、Ｕ字状に折り曲げられた２本の脚材１，２が平行に向かい合っている。この２本の脚材１，２は、一方端が自由端になっており、その他方端が連結材３によって連結されている。各脚材１，２の形状に注目すると、各脚材は、底部の折返し箇所４を境として脚材の両端部を構成して向き合う一対の軸部５，６を有している。一対の軸部５，６には、これらの軸部が向き合う方向とは逆向きとなる外向きに窪んだ窪み７，８が設けられている。脚材１，２の折返し箇所４が接する地面から各軸部５，６の窪み７，８に至る距離が等しく、一方の窪み７は、連結材３と折返し箇所４との間に位置する。
【０００６】
一方の窪み７，７は、ラス金網の菱形の第１の辺を受け入れて所定高さに支持し、他方の窪み８，８は、ラス金網の第３の辺を受け入れて所定高さに支持する。
【先行技術文献】
【特許文献】
【０００７】
【特許文献１】特開２００８−７５４０４号公報
【発明の概要】
【発明が解決しようとする課題】
【０００８】
特開２００８−７５４０４号公報に開示された補強金網支持スペーサを工事現場で使用するとき、対向する軸部５，６の間隔を小さくするように弾性変形させてラス金網に装着する。図１４は、ラス金網に装着後の補強金網支持スペーサを図解的に示している。
【０００９】
図１４には、第１の辺１１、第２の辺１２、第３の辺１３および第４の辺１４からなる菱形形状を有するラス金網が示されている。図示するように、補強金網支持スペーサを装着した状態では、軸部５，６の弾性復元力により、対向する窪み７，８は、互いから遠ざかる方向に移動しようとする。従って、窪み７に受け入れられたラス金網の第１の辺１１と窪み８に受け入れられた第３の辺１３とは、互いに押し広げられる力によってその間隔が安定して一定に保持される。
【００１０】
しかしながら、特開２００８−７５４０４号公報に開示された補強金網支持スペーサの問題点として以下の点を指摘することができる。
【００１１】
第１に、平行な関係で対向している２本のＵ字形状脚材１，２はラス金網の菱形の第２の辺１２および第４の辺１４に対して、その間隔を維持するような力を与えていない。そのため、第１の辺１１および第３の辺１３の間隔が一定に維持されるものの、第２の辺１２および第２の辺の間隔が一定ではなく不安定になる。
【００１２】
第２に、補強金網支持スペーサをラス金網に装着する際に対向する軸部５，６の間隔を小さくするように弾性変形させる必要があるが、その弾性変形をさせるのに非常に大きな力が必要になるという問題点を指摘できる。補強金網支持スペーサとして所定強度を有するようにするためには、スペーサを形成する金属線材の太さを所定以上にする必要がある。特開２００８−７５４０４号公報に開示された補強金網支持スペーサでは、一対の脚材１，２をＵ字形状にすることによって弾性変形力を持たせているが、金属線材の太さを大きくすると、弾性変形させるのに多大な力が必要になる。
【００１３】
第３に、特開２００８−７５４０４号公報に開示された補強金網支持スペーサでは、連結材３と一対の脚材１，２とが直角に交差している。そのため、補強金網支持スペーサをラス金網に装着した状態では、平行な関係で直立している一対の脚材１，２の上方部分が金網上に露出している。工事現場ではロープを使うことがあるが、このロープがいずれか一方の脚材１，２に横から衝突すると、この衝突力によって補強金網支持スペーサが横にねじれてラス金網から外れてしまうおそれがある。
【００１４】
この発明の目的は、金網の菱形の全ての辺の間隔を安定して維持することのできる金網用スペーサを提供することである。
【００１５】
この発明の他の目的は、太い金属線材を使用した場合でも、金網装着時に容易に弾性変形させることのできる金網用スペーサを提供することである。
【００１６】
この発明のさらに他の目的は、金網に装着した後においては、不意の力が作用したとしても、金網装着状態を安定して維持することのできる金網用スペーサを提供することである。
【課題を解決するための手段】
【００１７】
この発明に従った金網用スペーサは、第１の辺、第２の辺、第３の辺および第４の辺で菱形を形成し、第１の辺と第３の辺とが対向し、第２の辺と第４の辺とが対向している金網を地面から浮かせた状態で支持するためのものであって、１本の線材を折り曲げて、対向する第１および第２側面線材部と、両側面線材部の一方端を連結する連結線材部とを備える形状を有している。第１および第２側面線材部は、それぞれ、地面に接する中央折返し部と、この中央折返し部の一方側から上方に立ち上がって連結線材部にまで延びる第１脚部と、中央折返し部の他方側から上方に立ち上がって延びる第２脚部とを含む。第１および第２側面線材部の各第１脚部は、金網の第１の辺を受入れて、この第１の辺を地面から浮かせた位置で支持するとともに第３の辺から遠ざけるように付勢する第１屈曲部を含む。第１および第２側面線材部の各第２脚部は、金網の第２の辺、第３の辺および第４の辺のうちの少なくともいずれかの辺を受入れて、少なくともいずれかの辺を地面から浮かせた状態で支持する第２屈曲部を含む。第１および第２側面線材部の第２屈曲部のうちの少なくともいずれか一方は、第３の辺を前記第１の辺から遠ざけるように付勢するとともに、第２の辺および第４の辺のいずれか一方の辺を他方の辺から遠ざけるように付勢する形状を有している。
【００１８】
上記構成の本発明によれば、金網の菱形の４つの辺の間隔を安定して維持することができる。
【００１９】
第２の屈曲部が第２の辺と第４の辺との間隔を安定して維持するようにするために、好ましくは、第１側面線材部と第２側面線材部とは、連結線材部との連結点から遠ざかるにつれて次第に両者の間隔が広がる形状とされている。
【００２０】
第１側面線材部および第２側面線材部を比較的小さな力で弾性変形させることができるようにするために、好ましくは、中央折返し部は、ループ形状を有している。
【００２１】
一つの実施形態では、第１側面線材部および第２側面線材部のうちの少なくともいずれか一方の側面線材部の第２屈曲部は、自由端を他方の側面線材部とは逆の方向に向けた上部Ｕ字状折れ曲がり部と、この上部Ｕ字状折れ曲がり部の下で逆向きのＵ字状となって連なっている下部Ｕ字状折れ曲がり部とを含む。
【００２２】
他の実施形態では、第１側面線材部および第２側面線材部のうちの少なくともいずれか一方の側面線材部の第２屈曲部は、第２脚部の上端部から第１脚部に向かって折れ曲って延びる第１直線部と、第１直線部の内端から上方かつ外側方に逆Ｕ字状に立ち上がって延びる逆Ｕ字状折れ曲がり部と、逆Ｕ字状折れ曲がり部から自由端まで第１直線部の側方で並行して同じ方向に延びる第２直線部とを含む。
【００２３】
工事現場で金網用スペーサにロープ等が衝突しても金網から簡単に外れることがないようにするために、第１屈曲部よりも上方に位置する一対の第１脚部と連結線材部とは、一対の第１脚部の間隔が上方に向かって狭まる形状を形作っている。
【図面の簡単な説明】
【００２４】
【図１】本発明の一実施形態に係る金網用スペーサの斜視図である。
【図２】図１に示した金網用スペーサの側面図である。
【図３】図１に示した金網用スペーサの平面図である。
【図４】図１に示した金網用スペーサを金網に装着した状態の斜視図である。
【図５】本発明の他の実施形態に係る金網用スペーサの斜視図である。
【図６】図５に示した金網用スペーサの側面図である。
【図７】図５に示した金網用スペーサの平面図である。
【図８】図５に示した金網用スペーサを金網に装着した状態の斜視図である。
【図９】本発明のさらに他の実施形態に係る金網用スペーサの斜視図である。
【図１０】一対の第１脚部の上方部分と連結線材部とが形作る形状の例を示す図である。
【図１１】図１に示した金網用スペーサが金網に装着されている状態を図解的に示す図である。
【図１２】図５に示した金網用スペーサが金網に装着されている状態を図解的に示す図である。
【図１３】特開２００８−７５４０４号公報に開示された補強金網支持スペーサの斜視図である。
【図１４】図１３に示した補強金網支持スペーサが金網に装着されている状態を図解的に示す図である。
【発明を実施するための形態】
【００２５】
図１〜図４および図１１は、この発明の一実施形態に係る金網用スペーサ２０を示している。図４から明らかなように、金網はいわゆるラス金網と称されるものであり、一定の間隔でジグザグ状に折り曲げ加工した第１の金属線材１０ａと第２の金属線材１０ｂとをそれらの折り曲げ箇所で掛け合わせたものである。最終製品をみると、ラス金網は、第１の辺１１、第２の辺１２、第３の辺１３および第４の辺１４で菱形を形成し、第１の辺１１と第３の辺１３とが対向し、第２の辺１２と第４の辺１４とが対向している。
【００２６】
金網用スペーサ２０は、一本の線材を折り曲げて、対向する第１側面線材部２１および第２側面線材部２２と、両側面線材部２１，２２の一方端を連結する連結線材部２３を備える形状に成形している。両側面線材部２１，２２の他方端は自由端となっている。金網用スペーサ２０を形作るための線材は、典型的にはスチール等の金属線材であるが、金網用スペーサとして必要な強度および弾力性を有するものであれば、どのような材質ものであってもよい。ただ、プラスチック材料と比較して金属材料の線材であれば、自然にやさしいこと、モルタルと同様に伸縮すること、モルタルとのなじみ性が良いことから、より好ましいものであるということができる。
【００２７】
図示した実施形態では、第１側面線材部２１と第２側面線材部２２とは、対称的な形状を有している。各側面線材部は、地面に接する折り返し部２４と、この折り返し部２４の一方側から上方に立ち上がって連結線材部２３にまで延びる第１脚部２５と、中央折り返し部２４の他方側から上方に立ち上がって延びる第２脚部２６とを備える。
【００２８】
図３および図１１から明らかなように、第１側面線材部２１と第２側面線材部２２とは、連結線材部２３との連結点から遠ざかるにつれて次第に両者の間隔が広がる形状とされている。金網用スペーサ２０を金網に装着するときには、第１側面線材部２１と第２側面線材部２２との間隔を小さくするように弾性変形させる。
【００２９】
金網用スペーサ２０を金網に装着する際には、第１脚部２５と第２脚部２６とを互いに近づけるように弾性変形させる必要がある。この弾性変形を比較的小さな力で行えるようにするために、図示した好ましい実施形態では、折り返し部２４をループ形状にしている。
【００３０】
各側面線材部２１，２２の第１脚部２５は、金網の第１の辺１１を受け入れて、この第１の辺１１を地面から浮かせた位置で支持するとともに対向する第３の辺１３から遠ざけるように付勢する第１屈曲部２７を含む。第１屈曲部２７の付勢力は、第１脚部２５の弾性復元力によって発揮されるものである。第１屈曲部２７は、第２脚部２６から遠ざかる方向に開口となるＵ字状の折れ曲がり形状を有している。
【００３１】
各側面線材部２１，２２の第２脚部２６は、金網の第２の辺１２、第３の辺１３および第４の辺１４のうちの少なくともいずれかの辺を受け入れて、少なくともいずれかの辺を地面から浮かせた状態で支持する第２屈曲部２８を含む。図示した実施形態では、一対の第２屈曲部２８は、第３の辺を第１の辺１１から遠ざけるように付勢するとともに、第２の辺１２および第４の辺１４を互いから遠ざけるように付勢する形状を有している。
【００３２】
好ましい実施形態における第２屈曲部２８の具体的な形状を説明する。第２屈曲部２８は、自由端を他方の側面部材とは逆の方向に向けた上部Ｕ字状折れ曲がり部２８ａと、この上部Ｕ字状折れ曲がり部２８ａの下で逆向きのＵ字状となって連なっている下部Ｕ字状折れ曲がり部２８ｂとを含む。
【００３３】
図４および図１１を参照しながら、金網用スペーサ２０が金網を支持している状態を詳しく説明する。金網用スペーサ２０が金網に装着される前のフリーな状態では、第１屈曲部２７と第２屈曲部２８の上部Ｕ字状折れ曲がり部２８ｂとの間隔は金網の第１の辺１１と第３の辺１３との間隔よりも大きく、左右の上部Ｕ字状折れ曲がり部２８ｂの間隔は、第２の辺１２と第４の辺１４との間隔よりも大きい。従って、金網用スペーサ２０を弾性変形させて金網に装着した状態では、第１屈曲部２７と上部Ｕ字状折れ曲がり部２８ａとは、互いに遠ざかるような弾性復元力を発揮し、第１の辺１１と第３の辺１３との間隔を安定して維持する。また、左右の上部Ｕ字状折れ曲がり部２８ａは、互いから遠ざかるような弾性復元力を発揮して第２の辺１２と第４の辺１４との間隔を安定して維持する。
【００３４】
第２屈曲部２８の下部Ｕ字状折れ曲がり部２８ｂは、第３の辺１３の下に位置して、この第３の辺１３を所定高さに維持する。
【００３５】
図１〜図４に示した実施形態では、左右の第２屈曲部２８が対称的な形状を有していたが、変形例として、一方の第２屈曲部のみが図示した形状、すなわち上部Ｕ字状折れ曲がり部２８ａおよび下部Ｕ字状折れ曲がり部２８ｂを有する形状を有し、他方の第２屈曲部が第１屈曲部２７と逆向きのＵ字状折れ曲がり部を有するものであってもよい。
【００３６】
図５〜図８および図１２は、この発明の他の実施形態に係る金網用スペーサ３０を示している。図示する金網用スペーサ３０は、前述の実施形態と同様に、対向する第１側面線材部３１および第２側面線材部３２と、両側面線材部の一方端を連結する連結線材部３３とを備える。前述の実施形態と異なり第１側面線材部３１と第２側面線材部３２とは非対称の形状を有している。図７および図１２に示すように、第１側面線材部３１と第２側面線材部３２とは、連結線材部３３との連結点から遠ざかるにつれて次第に両者の間隔が広がる形状とされている。
【００３７】
図示するように、第１側面線材部３１は、ループ状の中央折り返し部３４と、この中央折り返し部３４の一方側から上方に立ち上がって連結線材部３３にまで延びる第１脚部３５ａと、中央折り返し部３４の他方側から上方に立ち上がって延びる第２脚部３６ａとを含む。第１脚部３５ａは、金網の第１の辺１１を受け入れて、この第１の辺１１を地面から浮かせた位置で支持するとともに第３の辺１３から遠ざけるように付勢する第１屈曲部３７ａを含む。第１屈曲部３７ａは、第２脚部３６ａとは逆の方向に開口となっているＵ字状折り曲げ部の形状である。第２脚部３６ａは、図１２に示すように、金網の第３の辺１３を受け入れて、この第３の辺１３を地面から浮かせた状態で支持する第２屈曲部３８ａを含む。第２屈曲部３８ａは、第１屈曲部３７ａとは逆向きのＵ字状折り曲げ部の形状である。
【００３８】
第２側面線材部３２は、ループ状の中央折り返し部３４と、この中央折り返し部３４の一方側から上方に立ち上がって延びる第１脚部３５ｂと、中央折り返し部３４の他方側から上方に立ち上がって延びる第２脚部３６ｂとを含む。第１脚部３５ｂは、金網の第１の辺１１を受け入れて、この第１の辺１１を地面から浮かせた位置で支持するとともに第３の辺１３から遠ざけるように付勢する第１屈曲部３７ｂを含む。第１側面線材部３１の第１屈曲部３７ａと第２側面線材部３２の第１屈曲部３７ｂとは、同一方向に向く同一形状のＵ字状折り曲げ部である。第２脚部３６ｂは、金網の第３の辺１３を第１の辺１１から遠ざけるように付勢するとともに、第４の辺１４を第２の辺１２から遠ざけるように付勢する形状の第２屈曲部３８ｂを含む。図示した好ましい実施形態では、第２屈曲部３８ｂは、第２脚部３６ｂの上端部から第１脚部３５ｂに向かって折れ曲がって延びる第１直線部３８１と、第１直線部３８１の内端から上方かつ外側方に逆Ｕ字状に立ち上がって延びる逆Ｕ字状折れ曲がり部３８２と、逆Ｕ字状折れ曲がり部３８２の下端から自由端まで第１直線部３８１の側方で並行して同じ方向に延びる第２直線部３８３とを含む。
【００３９】
図１２に示すように、金網用スペーサ３０を金網に装着した状態では、第１屈曲部３７ａ，３７ｂが金網の第１の辺１１を図中下方に向かって付勢し、第２屈曲部３８ａおよび逆Ｕ字状折れ曲がり部３８２が第３の辺を図中上方に向かって付勢するので、対向する第１の辺１１と第３の辺１３との間隔が安定して一定に保持される。
【００４０】
また、第２屈曲部３８ａは第２の辺１２に当接し、逆Ｕ字状折れ曲がり部３８２が第４の辺１４を図中左方向に向かって付勢するので、対向する第２の辺１２と第４の辺１４との間隔が安定して一定に保持される。なお、第２屈曲部３８ｂの第１および第２直線部３８１，３８３は、第３の辺１３を下から支えることにより、この第３の辺１３を所定高さに維持する。
【００４１】
図９は、この発明のさらに他の実施形態に係る金網用スペーサ４０を示している。この図９に示した金網用スペーサ４０が、図５に示したスペーサ３０と異なっているのは、第１側面線材部３１の第２屈曲部３８ａの形状のみである。その他の部分は全く同一であるので、同一の番号を付すことによって説明を省略する。
【００４２】
図９に示した実施形態では、第１側面線材部３１と第２側面線材部３２とは、対称的な形状を有している。従って、第１側面線材部３１の第２屈曲部３８ａは、第２脚部３６ａの上端部から第１脚部３５ａに向かって折れ曲がって延びる第１直線部３８１と、第１直線部３８１の内端から上方かつ外側方に逆Ｕ字状に立ち上がって延びる逆Ｕ字状折れ曲がり部３８２と、逆Ｕ字状折れ曲がり部３８２の下端から自由端まで第１直線部３８１の側方で並行して同じ方向に延びる第２直線部３８３とを含む。
【００４３】
工事現場で金網用スペーサにロープ等が衝突することがある。金網に装着後の金網用スペーサにロープ等が衝突しても、スペーサが金網から簡単に外れることがないようにするために、第１屈曲部よりも上方に位置する一対の第１脚部と連結線材部とによって形作られる形状を工夫してもよい。たとえば、第１屈曲部よりも上方に位置する一対の第１脚部と連結線材部とが、一対の第１脚部の間隔が上方に向かって狭まるような形状を形作るようにすれば、ロープが横から第１脚部に衝突しても、ロープは斜め上方に向かって滑りやすくなるので、横方向に作用する衝突力を軽減することができ、スペーサの外れを効果的に防止することができる。好ましい形状のいくつかを、図１０に示す。
【００４４】
図１０の（ａ），（ｂ），（ｃ），（ｄ）において、参照番号４１ａは第１側面線材部の第１屈曲部を示し、参照番号４０ａは第１屈曲部よりも上方に位置する第１脚部を示している。参照番号４１ｂは第２側面線材部の第１屈曲部を示し、参照番号４０ｂは第１屈曲部よりも上方に位置する第１脚部を示している。参照番号４２は、第１側面線材部の第１脚部４０ａと第２側面線材部の第１脚部４０ｂとを連結する連結線材部である。
【００４５】
図１０に示す種々の形態で共通していることは、第１屈曲部４１ａ，４１ｂよりも上方に位置する一対の第１脚部４０ａ，４０ｂと連結線材部４２とは、一対の第１脚部の間隔が上方に向かって狭まる形状を形作っている。具体的に説明すると、図１０（ａ）に示す形態では一対の脚部と連結線材部とによって台形を形成し、図１０（ｂ）に示す形態では一対の脚部と連結線材部とによって三角形を形成し、図１０（ｃ）に示す形態では一対の脚部と連結線材部とによって上方に凸の放物線形状を形成している。図１０（ｄ）に示す形態では、一対の脚部は、まず垂直上方に延び、途中からは三角形の頂点となる連結線材部に向かって斜めに延びている。
【００４６】
以上、図面を参照して例示的に本発明の実施形態を説明したが、本発明は、図示した実施形態のものに限定されない。図示した実施形態に対して、本発明と同一または均等の範囲内において、種々の修正や変形を加えることが可能である。
【産業上の利用可能性】
【００４７】
この発明は、ラス金網等を所定高さに安定して支持することのできる金網用スペーサとして有利に利用され得る。
【符号の説明】
【００４８】
１  脚材、２  脚材、３  連結材、４  折返し箇所、５  軸部、６  軸部、７  窪み、８  窪み、１０ａ  第１金属線材、１０ｂ  第２金属線材、１１  第１の辺、１２  第２の辺、１３  第３の辺、１４  第４の辺、２０  金網用スペーサ、２１  第１側面線材部、２２  第２側面線材部、２３  連結線材部、２４  中央折返し部、２５  第１脚部、２６  第２脚部、２７  第１屈曲部、２８  第２屈曲部、２８ａ  上部Ｕ字状折れ曲がり部、２８ｂ  下部Ｕ字状折れ曲がり部、３０  金網用スペーサ、３１  第１側面線材部、３２  第２側面線材部、３３  連結線材部、３４  中央折返し部、３５ａ  第１脚部、３５ｂ  第１脚部、３６ａ  第２脚部、３６ｂ  第２脚部、３７ａ  第１屈曲部、３７ｂ  第１屈曲部、３８ａ  第２屈曲部、３８ｂ  第２屈曲部、３８１  第１直線部、３８２  逆Ｕ字状折れ曲がり部、３８３  第２直線部、４０ａ  第１脚部、４０ｂ  第１脚部、４１ａ  第１屈曲部、４１ｂ  第１屈曲部、４２  連結線材部。 
【図１】
2010281078.tif 000003
【図２】
2010281078.tif 000004
【図３】
2010281078.tif 000005
【図４】
2010281078.tif 000006
【図５】
2010281078.tif 000007
【図６】
2010281078.tif 000008
【図７】
2010281078.tif 000009
【図８】
2010281078.tif 000010
【図９】
2010281078.tif 000011
【図１０】
2010281078.tif 000012
【図１１】
2010281078.tif 000013
【図１２】
2010281078.tif 000014
【図１３】
2010281078.tif 000015
【図１４】
2010281078.tif 000016